【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
文書に関係付けられたコンテンツソースの正当性の格付けを提供するために、コンピュータによって実行される方法であって、
検索クエリーを受け付けるステップと、ここで、該検索クエリーは或る基準又は概念の１つと関係付けられており、
前記検索クエリーに応じて文書プロバイダから１組の文書を検索して取り出すステップと、ここで、各文書はコンテンツソースと関係付けられており、
前記関係付けられたコンテンツソースの正当性格付けを各文書毎に決定するステップと、ここで、該正当性格付けは前記コンテンツソースと関係付けられたトランザクション情報および履歴情報の少なくとも１つに基づいており、
前記１組の文書及び該各文書に関係付けられた前記コンテンツソースの正当性格付けを提供するステップと、
を具備する方法。
【請求項２】
前記履歴情報は、前記コンテンツソースの履歴格付けを含み、この履歴格付けは、前記文書プロバイダが当該コンテンツソースと関係付けられた文書を発行している期間の長さに基づくものである、請求項１の方法。
【請求項３】
前記文書が前記概念又は前記基準との関連に基づいて選択される、請求項１の方法。
【請求項４】
前記正当性格付けがユーザの操作に応じて提供される、請求項１の方法。
【請求項５】
前記履歴情報が、前記文書プロバイダによって提供されてきた、前記コンテンツソースと関係付けられた文書の数に基づく指標を更に含む、請求項１の方法。
【請求項６】
少なくとも１つの前記文書が広告であり、前記コンテンツソースが広告主である、請求項１の方法。
【請求項７】
少なくとも１つの前記文書が検索結果であり、前記コンテンツソースが前記検索結果内でリンクされるウェブサイトである、請求項１の方法。
【請求項８】
少なくとも１つの前記文書が正当性格付け文書へのリンクを含み、前記正当性格付け文書が追加の正当性格付け情報を含む、請求項１の方法。
【請求項９】
前記追加の正当性格付け情報が、前記コンテンツソースと関係付けられた文書を発行するために、前記コンテンツソースにより前記文書プロバイダへ支払われた金額と対応する指標を含む、請求項８の方法。
【請求項１０】
前記追加の正当性格付け情報が、前記コンテンツソースに関する否定的フィードバックを提供した、ユーザの人数と対応する指標を含む、請求項８の方法。
【請求項１１】
前記追加の正当性格付け情報が、前記コンテンツソースのユーザ承認格付けに対応する指標を含む、請求項８の方法。
【請求項１２】
前記追加の正当性格付け情報が、前記コンテンツソースの前記文書プロバイダの承認格付けに対応する指標を含む、請求項８の方法。
【請求項１３】
前記履歴格付けが、前記文書プロバイダへ文書を提供する複数のコンテンツソースの履歴格付けに基づいて正規化される指標を含む、請求項２の方法。
【請求項１４】
前記履歴格付けが、前記文書プロバイダへ文書を提供するコンテンツソースのサブセットの履歴格付けに基づいて正規化される指標を含み、前記コンテンツソースのサブセットは、前記コンテンツソースとの類似性に基づいて選択される、請求項２の方法。
【請求項１５】
前記正当性格付けが、前記文書プロバイダの集計ユーザ格付けを更に含む、請求項１の方法。
【請求項１６】
文書に関係付けられたコンテンツソースの正当性の格付けを提供するためのシステムであって、
検索クエリーを受信するための入力装置と、ここで、該検索クエリーは或る基準又は概念の１つと関係付けられており、
前記検索クエリーに応じて文書プロバイダからコンテンツソースと関係付けられた１組の文書を検索して取り出し、、前記１組の文書及び前記コンテンツソースの正当性格付けを提供する、出力装置と、
前記コンテンツソースと関係付けられたトランザクション情報および履歴情報の少なくとも１つに基づいて、前記コンテンツソースの前記正当性格付けを決定するためのプロセッサと
を備えるシステム。
【請求項１７】
文書に関係付けられたコンテンツソースの正当性の格付けを提供するために、コンピュータによって実行される方法であって、
或る基準と関係付けられた検索クエリーをユーザから受け付けるステップと、
前記基準との関連に基づいて広告を選択するステップと、ここで、前記広告は広告主と関係付けられており、
前記検索クエリーに応じて文書プロバイダにより前記広告をユーザに提供するステップと、
前記広告主の正当性格付けをユーザへ提供するステップであって、前記正当性格付けは、
前記文書プロバイダが、前記広告主と関係する広告を発行している期間の長さに基づく、前記広告主の履歴格付け、および、
前記文書プロバイダがユーザへ渡す前記広告主と関係する電子広告の数に基づく、前記広告主の取引量格付け、
の少なくとも何れかを含む、前記ステップと、
を具備する方法。
【請求項１８】
文書に関係付けられたコンテンツソースの正当性の格付けを提供するためのシステムであって、
或る基準と関係付けられた検索クエリーをユーザから受け付けるための入力装置と、
前記基準との関連に基づいて広告を選択するためのプロセッサと、ここで、前記広告は広告主と関係付けられており、
前記検索クエリーに応じてユーザへ前記広告を提供し、かつ、前記広告主の正当性格付けをユーザへ提供するための文書プロバイダの出力装置であって、ここで、前記正当性格付けは、
前記文書プロバイダが前記広告主と関係する広告を発行している期間の長さに基づく、前記広告主の履歴格付け、および、
前記文書プロバイダがユーザへ渡す前記広告主と関係する広告の数に基づく、前記広告主の取引量格付け、
の少なくとも何れかを含む、前記出力装置と、
を備えるシステム。
【請求項１９】
文書に関係付けられたコンテンツソースの正当性の格付けを提供するために、コンピュータによって実行される方法であって、
或る概念と関係付けられた検索クエリーをユーザから受け付けるステップと、
前記概念との関連に基づいてコンテンツソースと関係付けられた文書を選択するステップと、
前記コンテンツソースの正当性格付けを決定するステップであって、前記正当性格付けは、
前記文書プロバイダが前記コンテンツソースと関係付けられた文書を発行している期間の長さに基づく、前記コンテンツソースの履歴格付け、および、
前記文書プロバイダがユーザへ渡す前記コンテンツソースと関係する文書の数に基づく、前記コンテンツソースの取引量格付け、
の少なくとも何れかを含む、前記ステップと、
前記検索クエリーに応じて、前記文書および前記正当性格付けをユーザに提供するステップと、
を具備する方法。
【請求項２０】
前記文書および前記正当性格付けが単一の送信で一緒にユーザに提供される請求項１９に記載の方法。
【請求項２１】
文書に関係付けられたコンテンツソースの正当性格付けを提供するためのシステムであって、
或る概念と関係付けられた検索クエリーをユーザから受け付けるための入力装置と、
前記概念との関連に基づいてコンテンツソースと関係付けられた文書を選択するための文書プロバイダの選択プロセッサと、
前記コンテンツソースの正当性格付けを測定するための、正当性格付けプロセッサであって、前記正当性格付けは、
前記文書プロバイダが前記コンテンツソースと関係付けられた文書を発行している期間の長さに基づく、前記コンテンツソースの履歴格付け、および、
前記文書プロバイダがユーザへ渡す前記コンテンツソースと関係付けられた文書の数に基づく、前記コンテンツソースの取引量格付け、
の少なくとも何れかを含む、前記正当性格付けプロセッサと、
前記リクエストに応じて、前記文書および前記正当性格付けをユーザに提供するための出力装置と、
を備えるシステム。
【請求項２２】
前記出力装置が前記文書および前記正当性格付けを単一の送信で一緒にユーザに提供する請求項２１に記載のシステム。